(57)【要約】【課題】  一覧表形式を損なうことなく、目的のデータを一画面に表示することができる表計ソフトウエアのデータ表示方法を提供する。【解決手段】  表示画面上にマトリクス状の複数の表示セルを配列したウインドウを表示し、前記各表示セルにデータを入力する表計ソフトウエアの表示方法において、前記ウインドウ１００にデータ名を表示するタイトル領域１０１と、複数の操作ボタン１０４を備えた操作領域１０２とマトリクス状の複数の表示セル１０７ａを表示するワーク領域１０３とを表示し、前記ワーク領域１０３上にマトリクス状の複数の表示セル１０７ａを表示する標準モードと、前記ワーク領域１０３上にマトリクス状の複数の表示セル１０７ａを配列して表示する第１表示領域１０５と、この第１表示領域１０５の行または列データが選択された場合に第２表示領域１０６を前記ワーク領域１０３に作成し、この第２の表示領域１０６に前記選択された行または列データを折り返し表示する折り返しモードとを選択可能に設けるようにする。【選択図】  図１
2007265059.tif 000002
【特許請求の範囲】
【請求項１】
表示画面上にマトリクス状の複数の表示セルを配列し、その各表示セルにデータを表示または入力するデータ表示方法において、
表示画面上にマトリクス状の複数の表示セルを表示する標準モードと、
表示画面上にマトリクス状の複数の表示セルを配列して表示する第１表示領域と、この第１表示領域の行または列データが選択された場合に第２表示領域を作成し、この第２の表示領域に前記選択された行または列データを折り返し表示する折り返しモードとを選択可能に設けた
ことを特徴とするデータ表示方法。
【請求項２】
表示画面上にマトリクス状の複数の表示セルを配列したウインドウを表示し、前記各表示セルにデータを表示または入力するデータ表示方法において、
前記ウインドウにデータ名を表示するタイトル領域と、複数の操作ボタンを備えた操作領域とマトリクス状の複数の表示セルを表示するワーク領域とを表示し、
前記ワーク領域上にマトリクス状の複数の表示セルを表示する標準モードと、
前記ワーク領域上にマトリクス状の複数の表示セルを配列して表示する第１表示領域と、この第１表示領域の行または列データが選択された場合に第２表示領域を前記ワーク領域に作成し、この第２の表示領域に前記選択された行または列データを折り返し表示する折り返しモードとを選択可能に設けた
ことを特徴とするデータ表示方法。
【請求項３】
前記請求項１または２記載の表示方法において、
前記第２表示領域は、前記第１表示領域と並べて配置される
ことを特徴とするデータ表示方法。
【請求項４】
前記請求項１または２記載のデータ表示方法において、
前記第２表示領域は、前記選択された行または列データの領域に割り込む形式で配置される
ことを特徴とするデータ表示方法。
【請求項５】
請求項１から請求項４記載の何れかの１つのデータ表示方法において、
前記マトリックス状の複数の１つの表示セルが選択された場合に、当該選択された表示セルを前記第１表示領域の中央に表示するセンタリングモードを備えた
ことを特徴とするデータ表示方法。
【請求項６】
前記請求項５記載のデータ表示方法において、
前記センタリングモードは選択可能に表示することが可能である
ことを特徴とするデータ表示方法。
【発明の詳細な説明】
【技術分野】
【０００１】
本発明は、情報処理装置で使用される表計ソフトの表示方法に関するものであり、特に、表示画面上にマトリクス状の複数の表示セルを配列し、その各表示セルにデータを入力する表計ソフトウエアのデータ内容が把握しやすい表示方法に関するものである。
【背景技術】
【０００２】
情報処理装置においては、経理部門やデータベースの管理ソフトウエアとして、表示画面上に複数の表示セルを配列し、この表示セルにデータを入力する表計ソフトウエアが普及している。この表計ソフトウエアは、例えば、ウインドウシステムのOS上で駆動する管理ソフトウエアであり、縦軸y上に複数のデータを列記して、横軸X上に各項目を配列することで、複数のデータを一覧表形式で表示するものである。
【０００３】
これらの表計ソフトは、縦軸ｙ方向の「行」には商品を列記して、横軸Ｘ方向「列」には商品コードや数量、単価などの各種の項目が配列されている。このため、「行」方向に見ていけば、当該商品の商品コードや数量などを一目で見ることができ、また、列方向に見れば、数量の項目に対して、複数の商品の内容が一目で見ることができる。更には、各「列」や「行」に計算式を割り当てて、集計を行うこともできて、非常に便利である。
【０００４】
しかし、この表計ソフトウエアは、商品のデータ量が多くなったり、項目数が多くなると、表示画面に、全体を表示することができなくなる課題がある。そこで、これらデータ量の多い行データや列データを１画面に表示するために、表示画面を、上下または左右、あるいは上下左右に分割し、それぞれの分割領域を単独でスクロール可能とすることにより、１画面に表示しきれない表示セルを隣接配列して表示できるようにしたものがある。
【０００５】
【特許文献１】特開平２０００−３９９６７号公報
【発明の開示】
【発明が解決しようとする課題】
【０００６】
前記従来例によれば、分割領域をそれぞれ単独でスクロールできるので、この分割部を堺に対比したい表示セルを移動させて表示することができる。しかし、この種の表計ソフトウエアはマトリックス状に表示セルを配列する一覧表示が使用者にとって分かりやすい要因となっているが、これを複数に分割して、それぞれの領域で表示セルを独自に上下方向と左右方向に移動させると、全体像が分かりづらい課題がある。
【０００７】
そこで、この発明の目的とするころは、一覧表形式を損なうことなく、目的のデータを一画面に表示することができる表計ソフトウエアの表示方法を提供することにある。
【課題を解決するための手段】
【０００８】
本発明は、前記目的を達成するために、表示画面上にマトリクス状の複数の表示セルを配列し、その各表示セルにデータを入力する表計ソフトウエアの表示方法において、表示画面上にマトリクス状の複数の表示セルを表示する標準モードと、表示画面上にマトリクス状の複数の表示セルを配列して表示する第１表示領域と、この第１表示領域の行または列データが選択された場合に第２表示領域を作成し、この第２の表示領域に前記選択された行または列データを折り返し表示する折り返しモードとを選択可能に設けるようにする。
【０００９】
また、本発明では、表示画面上にマトリクス状の複数の表示セルを配列したウインドウを表示し、前記各表示セルにデータを入力する表計ソフトウエアの表示方法において、前記ウインドウにデータ名を表示するタイトル領域と、複数の操作ボタンを備えた操作領域とマトリクス状の複数の表示セルを表示するワーク領域とを表示し、前記ワーク領域上にマトリクス状の複数の表示セルを表示する標準モードと、前記ワーク領域上にマトリクス状の複数の表示セルを配列して表示する第１表示領域と、この第１表示領域の行または列データが選択された場合に第２表示領域を前記ワーク領域に作成し、この第２の表示領域に前記選択された行または列データを折り返し表示する折り返しモードとを選択可能に設けるようにする。
【００１０】
この場合、前記第２表示領域と第１表示領域と並べて表示する。また、第２の表示領域を第１表示領域の選択された行または列に割り込んで設けるようにする。
【発明の効果】
【００１１】
本発明によれば、全体の配列をそのまま表示する第１表示領域を表示しつつ、選択した行または列データを第２表示領域に折り返して集中表示することができるので、一覧表の表示形態を維持しつつ、選択した目的のデータ全体を把握することができる。
【発明を実施するための最良の形態】
【００１２】
以下、図１から図７を参照して、この発明に係る表計ソフトウエアを具体的に説明する。なお、同一の部位や方向などは同一符号を持って示し、重複した説明を省略する。
【００１３】
先ず、図１と図２を参照して、この実施の形態に係る表計ソフトウエアの概略構成を説明する。図１は、代表的な表示画面図であり、図２はこの表計ソフトウエアがインストールされる情報処理装置の装置構成図である。
【００１４】
図２において、表計ソフトウエアは、極一般的なパソコンにインストールすることができる。図２は、この表計ソフトウエアをインストールして動作できるパソコンの一例を示すブロック図である。このパソコンは、このパソコンを統括制御する制御部１と、表示装置２とキーボード３とマウス４と各種のデータを格納する記憶装置５とプリンタ６と外部ネットワークなどと接続する通信装置とから構成される。
【００１５】
この実施の形態に係るパソコンは、ウインドウシステムのOS上で様々なソフトウエアを動作することができる。この表計ソフトウエアは、CDやDVDなどの記録媒体や前記通信装置７を介して接続されるインターネットを介してインストールすることができる。
【００１６】
この表計ソフトウエアは、極一般的なソフトウエアと同様に、インストールされると前記記憶装置５に格納される。そして、この表計ソフトウエアは、ウインドウシステム上でパソコンを立ち上げた状態で、極一般的なソフトウエアと同様な手法で起動させることができる。
【００１７】
制御部１は、この表計ソフトウエアが選択されると、前記記憶装置５からプログラムが呼び出されて、制御部１内のメモリ上で駆動し、図１に示すように、複数の表示セル１０７ａがマトリックス状に配列した一覧表１０７を表示可能なウインドウ１００を前記表示装置２の表示画面上に表示する。
【００１８】
前記ウインドウ１００は、最上部に配置されるタイトル領域１０１と、各種の操作ボタン１０４を備えた操作領域１０２と、一覧表１０７を表示するワーク領域１０３とを備えている。この実施の形態では、最上部にタイトル領域１０１、その下方に操作領域１０２、その下方にワーク領域１０３を配置しているが、この配列に限定されるものではない。
【００１９】
そして、この実施の形態では、前記操作領域１０２に配置される操作ボタン１０４をマウス４やキーボード３で選択することで、前記ワーク領域１０３に前記記憶装置５から先に作成したデータを呼び出して表示することができるし、また、新たに新規データを作成することができる。
【００２０】
そして、この実施の形態の大きな特徴の１つは、複数の表示モードを備えて、この表示モードを選択することにより多様な表示方法を選択できる点にある。
【００２１】
即ち、（ｂ）図に示すウインドウ２００は、使用者が作成した各項目を横軸Ｘ方向にそのまま配列し、縦軸Ｙ方向にデータを配列した一覧表１０７をワーク領域１０３全体に表示する標準モードの画面例を示したものである。
【００２２】
一方、（a）図は、ワーク領域１０３を第１領域１０５と第２領域１０６に２分割し、前記第１領域１０５に前記標準モードの一覧表１０７を表示し、前記第２領域１０６に前記標準モードの一覧表１０７で選択される列または行の全データの折り返し一覧１０８を表示する折り返しモード１が選択された画面例を示したものである。
【００２３】
この実施の形態では、前記操作領域１０２の操作ボタンを介して折り返しモード１が選択されると、（ｂ）図の標準モードの状態から行または列が選択される（a）図に示す折り返しモード１に移行させることができる。
【００２４】
以下、図３の動作フロー図を基に、図１及び図３から図７に示す画面例を参照して、本実施の形態に係る表計ソフトウエアを詳細に説明する。
【００２５】
先ず、ウインドウシステム上で立ち上がったパソコンの表示画面上で、図示しない起動アイコンを介して、この表計ソフトウエアが選択されると、制御部１は記憶装置５からプログラムを立ち上げて表示装置２の表示画面上に本実施の形態に係るウインドウを表示する（ステップ５１）。このウインドウには、無名称のタイトル領域１０１と操作領域１０２が表示され、ワーク領域１０３には何も表示されない。前記操作領域１０２の操作ボタン１０４を介して、記憶装置５に格納された先に作成されたデータを呼び出すか、あるいは、新規作成を選択することにより、図１の（ｂ）図に示すような先に作成されたデータ、または、マトリック状の無データの表が表示される。この実施の形態では、初期設定として、標準モードが設定されているので、この標準モードで各種の一覧表１０７を作成することができる。
【００２６】
以後の説明では、図１の（ｂ）図に示すような一覧表を作成した、または、先に作成されたデータを呼び出した状態から説明を行う。
【００２７】
制御部１は、図１の（ｂ）図の状態で、前記操作領域１０２の操作ボタン１０４を介して折り返しモード１が選択されたか否かを監視する（ステップ５２）。折り返しモード１が選択されなければ初期設定の通常の処理を実行する（ステップ５３）。なお、この実施の形態では、折り返しモード１の状態で、前記記憶装置５に格納されれば、この格納されたデータを呼び出した状態では折り返しモード１が初期設定値となる。
【００２８】
一方、折り返しモード１が選択されると、行また列が選択されるか否か（ステップ５４）と、データ領域が選択されるか否か（ステップ５７）とを監視する。
【００２９】
前記ステップ５４において、行または列が選択されると、第２表示領域１０６を作成して（ステップ５５）、この第２表示領域１０６に選択された行または列の全データの折り返し一覧表１０８を表示する（ステップ５６）。
【００３０】
即ち、図１の（ｂ）図に示す標準モードでは、縦軸Y方向にｘ１からｘ２０のデータが順に配列表示され、横軸X方向にはｙ１からｙ２０の各項目が順に配列されている。この実施の形態では、ワーク領域１０３の下方にX軸方向に一覧表１０７をスクロールするスクロールバー１０９が配置され、ワーク領域１０３の右端部にはY軸方向に一覧表をスクロールさせるスクロールバー１１０が配置される。また、一覧表１０７の左側にはデータ名列１１１が固定表示され、一覧表の上部には項目行１１２が固定表示される。
【００３１】
さて、このような（ｂ）図の状態から、「ｘ５」の行１１１ａが選択されると、（ａ）図に示すように、制御部１はワーク領域１０３の下方に第２表示領域１０６を作成表示して、「ｘ５」の行１１１ａの全データを折り返し一覧表１０８として表示する。（ａ）図の例では、横軸Ｘ方向にはｙ１からｙ２０の項目があるので、制御部１は、第２表示領域１０６に前記ｙ１からｙ２０の項目行１１２とｘ５の表示セルを表示する。この表示にあたり、制御部１は、前記第２表示領域１０６のＸ軸方向の長さに対して、左から前記ｙ１からｙ２０を順に並べ、この長さに入りきれないと、次の表示セルから折り返して、２段目の左から順に並べるように表示する。この（ａ）図の例では前記ｙ１からｙ２０を２段に表示しているが、もっと多くの項目があれば３段、４段と表示するようにする。
【００３２】
一方、図１の（ｂ）図の状態で、「ｙ５」の列１１２ａが選択されると、図４に示すように、制御部１はワーク領域１０３の下方に第２表示領域１０６を作成表示して、「ｙ５」の列１１２ａの全データを折り返し一覧表１１３として表示する。図４の例では、縦軸Ｙ方向にはｘ１からｘ２０のデータがあるので、制御部１は、第２表示領域１０６に前記ｘ１からｘ２０のデータ列１１１とｙ５の表示セルを表示する。この表示にあたり、制御部１は、前記第２表示領域１０６のＸ軸方向の長さに対して、左から前記ｘ１からｘ２０を順に並べ、この長さに入りきれないと、次の表示セルから折り返して、２段目の左から順に並べるように表示する。この図４の例では前記ｘ１からｘ２０を２段に表示しているが、もっと多くの項目があれば３段、４段と表示するようにする。
【００３３】
次に、図３のステップ５６においてデータ領域である表示セル１０７ａが選択されると、ワーク表示領域１０３または第１表示領域１０５の中央に選択された表示セル１０７ａが表示されるように一覧表１０７をスクロールさせる（ステップ５８）。そして、この選択された表示セル１０７ａでの入力を受け付ける（ステップ５９）
例えば、図１の（ａ）図において、データ領域である表示セル１０７ａが選択されると、制御部１は、図５に示すように表示セル１０７ａを第１表示領域１０５の中央にスクロールして表示する。一方、第２表示領域１０５では、１０７ａに該当するデータ名の行に対応する全データの一覧表１０８が表示される。なお、操作領域１０２での操作で第２表示領域１０５に列データを表示させることができる。
【００３４】
この図５に示す例では、行または列が選択されているために、２分割される表示画面１００で表示されているが、図１の（ｂ）図の状態で表示セル１０７ａが選択されると、この図１の（ｂ）図の状態で表示セル１０７ａが中央に表示される。
【００３５】
図３に戻り、この実施の形態では、前記した動作を、この表計ソフトウエアがＯＦＦされるまで繰り返し動作させる（ステップ６０）。
【００３６】
このように、この実施の形態では、通常の標準モードと折り返しモード１を選択して表示することができるので、使用者の目的に対応して、その表形態を選択することができる。しかも、折り返しモード１を選択すれば、全体の配列をそのまま表示する第１表示領域１０５を表示しつつ、選択した行または列データを第２表示領域１０６に折り返して集中表示することができるので、一覧表１０７の表示形態を維持しつつ、選択した目的のデータ全体を一覧表１０８の形式で把握することができる。
【００３７】
更に、この実施の形態では、折り返しモード１の状態で、表示セル１０７ａを選択することにより、当該表示セル１０７ａを画面中央に自動的に表示させることができるので、入力や修正が容易である。
【００３８】
なお、この実施の形態では、表示セル１０７ａを中央に配置するか否かを前記操作領域１０２の操作で設定することができる。
【００３９】
次に、図６、図７を介して、折り返しモード２の表示画面を説明する。この折り返しモード２は、操作領域１０２の設定で、前記折り返しモード１に代えて選択できるものであり、その、動作フローは図３に示すものと同様に動作する。
【００４０】
さて、この折り返しモード２では、図１の（ｂ）図の状態から、「ｘ５」の行１１１ａが選択されると、図６に示すように、制御部１は一覧表１０７の選択された「ｘ５」の行１１１ａの領域に第２表示領域１１４を割り込むように作成表示して、「ｘ５」の行１１１ａの全データを折り返し一覧表１０８として表示する。図６の例では、横軸Ｘ方向にはｙ１からｙ２０の項目があるので、制御部１は、第２表示領域１１４に前記ｙ１からｙ２０の項目行１１２とｘ５の表示セルを表示する。この表示にあたり、制御部１は、横軸Ｘ方向の項目配置を項目行１１２に合わせて表示する。そして、ｙ１１の項目から折り返して２段目に表示する。この図６の例では前記ｙ１からｙ２０を２段に表示しているが、もっと多くの項目があれば３段、４段と表示するようにする。
【００４１】
一方、図１（ｂ）図において、「ｙ５」の列１１２ａが選択されると、図７に示すように、制御部１は一覧表１０７の選択された「ｙ５」の列１１２ａの領域に第２表示領域１１５を割り込むように作成表示して、「ｙ５」の列１１２ａの全データを折り返し一覧表１０８として表示する。図７の例では、縦軸ｙ方向にはｘ１からｘ２０のデータがあるので、制御部１は、第２表示領域１１５に前記ｘ１からｘ２０のデータ名列１１１とｙ５の表示セルを表示する。この表示にあたり、制御部１は、縦軸Ｙ方向のデータ名の配置をデータ名列１１１に合わせて表示する。そして、ｘ１１の項目から折り返して２列目に表示する。この図７の例では前記ｘ１からｘ２０を２列に表示しているが、もっと多くの項目があれば３列、４列と表示するようにする。
【００４２】
なお、以上の実施の形態では、表計ソフトウエアを例にとって説明したが、データをマトリックス状の表として表示するものであれば、他のソフトウエアによる表示であっても、同様の効果が得られる。
【図面の簡単な説明】
【００４３】
【図１】本発明に係る表計ソフトウエアの代表的な表示画面図である。
【図２】本発明に係る表計ソフトウエアがインストールされる情報処理装置のブロック図である。
【図３】本発明に係る表計ソフトウエアの動作フロー図である。
【図４】本発明に係る表計ソフトウエアの代表的な表示画面図である。
【図５】本発明に係る表計ソフトウエアの表示画面図である。
【図６】本発明に係る表計ソフトウエアの表示画面図である。
【図７】本発明に係る表計ソフトウエアの表示画面図である。
【符号の説明】
【００４４】
１…制御部、２…表示装置、３…キーボード、４…マウス、５…記憶装置、６…プリンタ、７…通信装置、１０１…タイトル領域、１０２…操作領域、１０３…ワーク領域、１０４…操作ボタン、１０５…第１領域、１０６…第２領域、１０７…一覧表、１０７ａ…表示セル、…折り返し一覧１０８、データ名列１１１、行１１１ａ、項目行１１２、列１１２ａ、…ウインドウ１００、…ウインドウ２００。
【図１】
2007265059.tif 000003
【図２】
2007265059.tif 000004
【図３】
2007265059.tif 000005
【図４】
2007265059.tif 000006
【図５】
2007265059.tif 000007
【図６】
2007265059.tif 000008
【図７】
2007265059.tif 000009